(57)【特許請求の範囲】
【請求項１】
ワークを収納する収納容器と、
収納容器に向かってワークを圧縮空気により搬送する搬送パイプと、
収納容器と搬送パイプとの間に介在し、搬送パイプ中の圧縮空気を外方へ放出して収納容器へ流入する圧縮空気の噴出力および流入量を減少させる多孔体からなるフィルタと、を備えたことを特徴とするワーク収納システム。
【請求項２】
搬送パイプと、フィルタと、収納容器とは、鉛直方向に順次配置され、
収納容器は最下部に配置されたことを特徴とする請求項１記載のワーク収納システム。
【請求項３】
フィルタは、多孔体から構成され、パイプ状構造を有していることを特徴とする請求項１または２のいずれかに記載のワーク収納システム。
【請求項４】
ワークを収納する収納容器と、
収納容器に向かってワークを圧縮空気により搬送する搬送パイプと、
収納容器と搬送パイプとの間に介在されたフィルタと、を備え、フィルタは多孔体からなり、搬送パイプ中の圧縮空気より低い圧力の外方に露出し、搬送パイプ中の圧縮空気をフィルタを介して外方へ放出して、収納容器へ流入する圧縮空気の噴出力および流入量を減少させることを特徴とするワーク収納システム。
【発明の詳細な説明】
【０００１】
【発明の属する技術分野】
本発明は、ワークを圧縮空気により搬送するとともに、収納容器に収納するためのワーク収納システムに関する。
【０００２】
【従来の技術】
図２に従来のワーク収納システムを示す。
図２に示すようにワーク収納システムは、ワークＷを収納する収納容器２と、収納容器２に搬送パイプブラケット５を介して取り付けられ、収納容器２に向かってワークＷを圧縮空気１５により搬送する搬送パイプ１とを備えている。搬送パイプブラケット５と収納容器２との間には、収納容器２内の圧縮空気１５が流出することができる間隙１０が設けられている。
【０００３】
図２において、例えば電子部品の特性を測定する測定装置から測定値に応じて分類された電子部品等のワークＷは、圧縮空気１５により搬送パイプ１内を搬送され、直接、収納容器２に収納される。ワークＷを収納容器２に収納する際、収納容器２内に流入した圧縮空気１５のうちの余剰部分は、搬送パイプブラケット５と収納容器２との間に設けられた間隙１０から流出する。このようにして圧縮空気１５により搬送されたワークＷは、収納容器２に収納される。
【０００４】
【発明が解決しようとする課題】
ところで従来のワーク収納システムにおいて、搬送パイプ１から収納容器２への圧縮空気１５の噴出力が強すぎる場合には、収納容器２に一旦収納されたワークＷが舞い上がり、舞い上がったワークＷが、互いを傷つけ合ったり、また、搬送パイプブラケット５と収納容器２との間に設けられた間隙１０に入り込んだりする、という問題がある。また搬送パイプ１に収納容器２を取り付ける際、収納容器２に流入した圧縮空気１５のうちの余剰部分が間隙１０から流出できるように収納容器２を取り付けなければならない。
収納容器２内におけるワークＷの舞い上がりを防止するため、使用するワークＷの形態、および搬送パイプ１から収納容器２への圧縮空気１５の噴出力や圧縮空気１５の流入量を調整する必要がある。また収納容器２を搬送パイプ１に取り付ける際には、圧縮空気１５のうちの余剰部分が間隙１０から流出できるよう、間隙１０の寸法を確保することが必要である。また間隙１０を十分に確保しつつ、搬送パイプ１に収納容器２を繰り返し装着することができる構造のワーク収納システムが要求される。
【０００５】
本発明はこのような点を考慮してなされたものであり、収納容器に流入する圧縮空気により収納容器に収納されているワークを舞い上がらせることなく、搬送されるワークをスムーズに収納容器に収納することができ、収納容器の取り付けおよび管理を容易に行うことができるワーク収納システムを提供することを目的とする。
【０００６】
【課題を解決するための手段】
本発明は、ワークを収納する収納容器と、収納容器に向かってワークを圧縮空気により搬送する搬送パイプと、収納容器と搬送パイプとの間に介在し、搬送パイプ中の圧縮空気を外方へ放出して収納容器へ流入する圧縮空気の噴出力および流入量を減少させる多孔体からなるフィルタと、を備えたことを特徴とするワーク収納システムである。
本発明は、ワークを収納する収納容器と、収納容器に向かってワークを圧縮空気により搬送する搬送パイプと、収納容器と搬送パイプとの間に介在されたフィルタと、を備え、フィルタは多孔体からなり、搬送パイプ中の圧縮空気より低い圧力の外方に露出し、搬送パイプ中の圧縮空気をフィルタを介して外方へ放出して、収納容器へ流入する圧縮空気の噴出力および流入量を減少させることを特徴とするワーク収納システムである。
【０００７】
本発明によれば、収納容器と搬送パイプとの間にフィルタを介在し、このフィルタから搬送パイプ中の圧縮空気を外方へ放出するので、収納容器に収納されているワークを舞い上がらせることなく、搬送されるワークをスムーズに収納容器に収納することができる
【０００８】
【発明の実施の形態】
以下、図面を参照して本発明の実施の形態について説明する。図１は本発明によるワーク収納システムの一実施形態を示す構成図である。
図１に示すように、本実施の形態におけるワーク収納システムは、ワークＷを収納する収納容器２と、収納容器２に向かってワークＷを圧縮空気１５により搬送する搬送パイプ１とを備えている。また、収納容器２と搬送パイプ１との間にフィルタ３が介在され、このフィルタ３は多孔体から構成されるとともに、パイプ状構造を有している。このため多孔体からなるフィルタ３から搬送パイプ１中の圧縮空気１５を外方へ放出することができる。また、図１に示すように、搬送パイプ１と、フィルタ３と、収納容器２とは、鉛直方向に順次配置され、収納容器２は最下部に配置されている。
上記のような各構成部材のうち、搬送パイプ１とフィルタ３との間に搬送パイプ１の滑脱を防止するパイプストッパチューブ６が設けられ、フィルタ３はフィルタホルダー７により搬送パイプ１に堅持されている。収納容器２はフィルタブラケット８を介してフィルタ３に取り付けられ、収納容器２は収納容器ホルダー９により支持されている。
【０００９】
次にこのような構成からなる本実施の形態の作用について説明する。
【００１０】
図１に示すように、ワークＷは圧縮空気１５により搬送パイプ１内を搬送され、中空のフィルタ３内部を通って収納容器２に運ばれる。一方、ワークＷを収納容器２に搬送する搬送パイプ１の圧縮空気１５のうちの余剰部分は、フィルタ３を通ってフィルタ３外部に放出される。圧縮空気１５がフィルタ３外部に放出されることにより、収納容器２内に流入する圧縮空気１５の量は非常に少なくなる。従って、圧縮空気１５が収納容器２に流入しても、収納容器２に一旦収納されたワークＷが舞い上がることはない。
また、搬送パイプ１と、フィルタ３と、収納容器２とは、鉛直方向に配置され、収納容器２は最下部に配置されているので、ワークＷに作用する重力により、ワークＷの収納容器２への搬送を助けることができる。このためワークＷはフィルタ３までは従来通りの圧縮空気の強い力で搬送されるが、フィルタ３以降は圧縮空気の力によることなく収納容器２にやさしく収納される。また、収納容器２へ流入する圧縮空気１５の噴出力および流入量をより減少させることができるので、一旦収納容器２に収納されたワークＷをさらに舞い上がりにくくすることができる。
【００１１】
【発明の効果】
以上説明したように、本発明によれば、搬送パイプ中のワークを搬送する圧縮空気のうちの余剰部分は、搬送パイプと収納容器との間に介在するフィルタを通って外方へ放出される。このため収納容器に流入する圧縮空気の噴出力を小さくし、収納容器への圧縮空気の流入量を減少させることができる。これによって、一旦収納容器に収納されたワークを舞い上がらせることなく、新たなワークを収納容器に収納することができる。
【図面の簡単な説明】
【図１】本発明によるワーク収納システムの一実施の形態を示す構成図。
【図２】従来のワーク収納システムを示す構成図。
【符号の説明】
１  搬送パイプ
２  収納容器
３  フィルタ
５  搬送パイプブラケット
６  パイプストッパチューブ
７  フィルタホルダー
８  フィルタブラケット
９  収納容器ホルダー
１０  間隙
１５  圧縮空気
Ｗ  ワーク
【図１】
0003749116.tif 000002
【図２】
0003749116.tif 000003